(57)【要約】【課題】ＩＤカードの更新発行手続時おけるＰＩＮの変更手続を簡便化し、且つ、ＰＩＮの設定変更があってもＩＤカードの更新発行手続を円滑に行う。【解決手段】ＩＤカードの更新登録端末と更新申請者を撮影する撮影装置とから送信される更新情報に基づいて、予め更新申請者の個人情報が記録されたデータベースの内容を書き換える更新登録手段と、前記データベースを介して前記ＩＤカードの更新申請者の更新情報を前記ＩＤカードに記載及び／又は記録するＩＤカードの自動更新発行システムにおいて、更新申請者の暗証情報を入力する暗証情報入力手段から入力される暗証情報に基づいて、ＩＤカードを自動作成するＩＤカード発行手段を備える。【選択図】図３
2006201864.tif 000002
【特許請求の範囲】
【請求項１】
ＩＤカードの更新登録端末と更新申請者を撮影する撮影装置とから送信される更新情報に基づいて、予め更新申請者の個人情報が記録されたデータベースの内容を書き換える更新登録手段と、前記データベースを参照して前記ＩＤカードの更新申請者の更新情報を前記ＩＤカードに記載及び／又は記録するＩＤカードの自動更新発行システムにおいて、
前記更新申請者の暗証情報を入力する暗証情報入力手段と、
前記暗証情報入力手段から入力される暗証情報に基づいて、前記ＩＤカードを作成するＩＤカード発行手段とを備えることを特徴とするＩＤカードの自動更新発行システム。
【請求項２】
請求項１に記載のＩＤカードの自動更新発行システムにおいて、
前記ＩＤカード発行手段は、前記暗証情報入力手段から入力される暗証情報に変更がない場合、前記データベースに予め記録された暗証情報に基づいて前記ＩＤカードを作成することを特徴とするＩＤカードの自動更新発行システム。
【請求項３】
請求項１に記載のＩＤカードの自動更新発行システムにおいて、
前記ＩＤカード発行手段は、前記暗証情報入力手段から入力される暗証情報に変更がある場合、前記データベースの内容を書き換える更新登録手段によって書き換えられた変更後の暗証情報に基づいて前記ＩＤカードを作成することを特徴とするＩＤカード自動更新発行システム。
【請求項４】
請求項１〜３のいずれか一項に記載のＩＤカードの自動更新発行システムにおいて、
前記暗証情報入力手段は、前記撮影装置に備えられることを特徴とするＩＤカード自動更新発行システム。
【請求項５】
ＩＤカードの更新登録端末と更新申請者を撮影する撮影装置とから更新情報を送信し、該更新情報に基づいて、予め更新申請者の個人情報が記録されたデータベースの内容を書き換えると共に、該書換え後のデータベースに基づいて前記ＩＤカードの更新申請者の更新情報を前記ＩＤカードに記載及び／又は記録するＩＤカードの自動更新発行方法において、
暗証情報を入力する暗証情報入力手段から前記更新申請者の暗証情報を入力し、
該入力される暗証情報に基づいて、前記ＩＤカードを作成することを特徴とするＩＤカードの自動更新発行方法。
【請求項６】
請求項５に記載のＩＤカードの自動更新発行方法において、
前記暗証情報入力手段から入力される暗証情報に変更がない場合、前記データベースに予め記録された暗証情報に基づいて前記ＩＤカードを作成することを特徴とするＩＤカードの自動更新発行方法。
【請求項７】
請求項５に記載のＩＤカードの自動更新発行方法において、
前記暗証情報入力手段から入力される暗証情報に変更がある場合、前記データベースの内容を書き換え、該書き換えられた変更後の暗証情報に基づいて前記ＩＤカードを作成することを特徴とするＩＤカード自動更新発行方法。
【請求項８】
請求項５〜７のいずれか一項に記載のＩＤカードの自動更新発行方法において、
前記暗証情報は、前記更新申請者を撮影する際に入力することを特徴とするＩＤカードの自動更新発行方法。
【発明の詳細な説明】
【技術分野】
【０００１】
本発明は、ＩＤカードの自動更新発行システム及び自動更新発行方法に係り、特に、各種運転免許証や社員証等の暗証情報の自動更新処理を行うＩＤカードの自動更新発行システム及び自動更新発行方法に関する。
【背景技術】
【０００２】
近年、社員証や各種の運転免許証等のＩＤカードは、社会生活上一般化し、欠くことのできないものとなっている。ＩＤカードは、申請者の氏名、住所、年齢、顔写真及びカード毎の特有の情報が印刷されており、これらの個人情報は、ＩＤカード発行時における申請書に基づいてＩＤカード発行システムにより自動処理される。
【０００３】
ところで、ＩＤカードは、その内容や種類によって有効期限等が設定されており、期限が到来すると更新発行手続が必要となる。更新手続は、上記発行手続と同様に、更新者が更新申請書に更新者の氏名、住所及び年齢等を記入し、顔写真を貼付し、更に必要であれば各種の証明書類を添付して行う必要がある。社員証や各種運転免許等は、その発行数が膨大であるため、更新手続が長時間に及ぶという問題がある。この問題に関して、特許文献１では、ＩＤカードの更新発行手続において、従前の内容と変更のない場合は従前のデータを活用して更新データを作成し、変更がある箇所のみを新たにデータベース化してＩＤカードを自動更新発行するシステムに関する発明が提供されている。これにより、更新手続も効率化され時間的にも短縮を図ることが可能となっている。
【特許文献１】特開２０００−３１１２１３号公報
【発明の開示】
【発明が解決しようとする課題】
【０００４】
しかしながら、ＩＤカードは個人認証に活用される性格も有しており、暗証番号等のＰＩＮ（Personal  Identification  Numbers）を設定する場合もある。ＰＩＮは、更新申請者の氏名や住所等と異なり、可能な限り秘匿性を有し且つ変更されるのが好ましいものである。
また近年、住民基本台帳カードに代表されるように、ＩＤカードの電子化（ＩＣカード化）が急速に進行している。ＩＣは、保持する情報量も従来の印字型や磁気型のカードに比して格段に多い。このため、万が一第三者に個人情報が流出すると、膨大な量の個人情報が流出する虞を防止するためにＰＩＮの設定が必須となる。
このように、ＩＤカードにおけるＰＩＮの設定及び変更が必須となる状況では、ＩＤカードの更新申請手続においてＰＩＮの処理を迅速かつ簡便に行うことが必要である。
【０００５】
本発明の目的は、ＩＤカードの更新発行手続時おけるＰＩＮの変更手続を簡便化し、且つ、ＰＩＮの設定変更があっても従来通りの円滑なＩＤカードの更新発行手続を行うことにある。
【課題を解決するための手段】
【０００６】
上記課題を解決するために、請求項１に記載の発明は、ＩＤカードの更新登録端末と更新申請者を撮影する撮影装置とから送信される更新情報に基づいて、予め更新申請者の個人情報が記録されたデータベースの内容を書き換える更新登録手段と、前記データベースを参照して前記ＩＤカードの更新申請者の更新情報を前記ＩＤカードに記載及び／又は記録するＩＤカードの自動更新発行システムにおいて、前記更新申請者の暗証情報を入力する暗証情報入力手段と、前記暗証情報入力手段から入力される暗証情報に基づいて前記ＩＤカードを作成するＩＤカード発行手段とを備えることを特徴とする。
【０００７】
請求項２に記載の発明は、請求項１に記載のＩＤカードの自動更新発行システムにおいて、前記ＩＤカード発行手段は、前記暗証情報入力手段から入力される暗証情報に変更がない場合、前記データベースに予め記録された暗証情報に基づいて前記ＩＤカードを作成することを特徴とする。
【０００８】
請求項３に記載の発明は、請求項１に記載のＩＤカードの自動更新発行システムにおいて、前記ＩＤカード発行手段は、前記暗証情報入力手段から入力される暗証情報に変更がある場合、前記データベースの内容を書き換える更新登録手段によって書き換えられた変更後の暗証情報に基づいて前記ＩＤカードを作成することを特徴とする。
【０００９】
請求項４に記載の発明は、請求項１〜３のいずれか一項に記載のＩＤカードの自動更新発行システムにおいて、前記暗証情報入力手段は、前記撮影装置に備えられることを特徴とする。
【００１０】
請求項５に記載の発明は、ＩＤカードの更新登録端末と更新申請者を撮影する撮影装置とから更新情報を送信し、該更新情報に基づいて、予め更新申請者の個人情報が記録されたデータベースの内容を書き換えると共に、該書換え後のデータベースに基づいて前記ＩＤカードの更新申請者の更新情報を前記ＩＤカードに記載及び／又は記録するＩＤカードの自動更新発行方法において、暗証情報を入力する暗証情報入力手段から前記更新申請者の暗証情報を入力し、該入力される暗証情報に基づいて、前記ＩＤカードを作成することを特徴とする。
【００１１】
請求項６に記載の発明は、請求項５に記載のＩＤカードの自動更新発行方法において、前記暗証情報入力手段から入力される暗証情報に変更がない場合、前記データベースに予め記録された暗証情報に基づいて前記ＩＤカードを作成することを特徴とする。
【００１２】
請求項７に記載の発明は、請求項５に記載のＩＤカードの自動更新発行方法において、前記暗証情報入力手段から入力される暗証情報に変更がある場合、前記データベースの内容を書き換え、該書き換えられた変更後の暗証情報に基づいて前記ＩＤカードを作成することを特徴とする。
【００１３】
請求項８に記載の発明は請求項５から７のいずれか一項に記載のＩＤカードの自動更新発行方法において、前記暗証情報は、前記更新申請者を撮影する際に入力することを特徴とする。
【発明の効果】
【００１４】
請求項１に記載の発明よれば、更新申請者の暗証情報（ＰＩＮ）を入力する暗証情報入力手段を備えることで、ＰＩＮを備えるＩＤカードであっても、迅速且つ確実に自動更新登録を行うことが可能となる。
【００１５】
請求項２に記載の発明によれば、暗証情報に変更がない場合には、更新申請前のＰＩＮ又はデフォルトＰＩＮが自動的に設定されるため、ＰＩＮの更新申請時にＰＩＮの変更あるいは設定を所望しない場合に、特に手続を踏むことなく自動的に更新申請手続きを行うことができる。このため、ＩＤカード自動更新発行システムの操作が簡単化され、デジタル的な弱者であっても確実且つ迅速なシステムの運転を行うことが可能となる。
【００１６】
請求項３に記載の発明によれば、暗証情報入力手段から変更後の新しいＰＩＮを入力し、このＰＩＮに基づいて更新登録手段によりデータベース上の暗証情報を書換え、その後、この変更後の暗証情報をＩＤカードに記録するため、データの変更等の管理をデータベース上で一元管理することが可能となり、ＩＤカードの更新申請とＩＤカードの作成とを異なるＩＤカード交付機関で簡単に行うことが可能となる。
【００１７】
請求項４に記載の発明によれば、暗証情報入力手段が撮影装置に備えられることで、更新申請者の氏名や住所等の個人を特定する事項と、ＰＩＮのようにＩＤカード使用者と所有者との同一性を担保することを目的とする事項とが、異なる空間で作業されるため、担当係員の入力項目をカテゴリ−別に絞り込むことが可能となる。このため、各事項の入力ミスを軽減できるともに、入力ミスを発見しやすくなる。
更に、一般に第三者等が更新申請者と隔てられる撮影空間での入力作業となるため、ＰＩＮの秘匿性を担保することができる。
【００１８】
請求項５に記載の発明よれば、更新申請者の暗証情報（ＰＩＮ）を入力する暗証情報入力手段により暗証情報を入力することが可能となるため、ＰＩＮを備えるＩＤカードであっても、迅速且つ確実に自動更新登録を行うことが可能となる。
【００１９】
請求項６に記載の発明によれば、暗証情報入力手段から入力される暗証情報に変更がない場合には、更新申請前のＰＩＮ又はデフォルトＰＩＮを自動的に設定するため、ＰＩＮの更新申請時にＰＩＮの変更あるいは設定を所望しない場合に、特に手続を踏むことなく自動的に更新申請手続を行うことができる。このため、ＩＤカードの自動更新発行方法が簡単化され、デジタル的な弱者であっても確実且つ迅速な更新手続を行うことが可能となる。
【００２０】
請求項７に記載の発明によれば、暗証情報入力手段から変更後の新しいＰＩＮを入力し、このＰＩＮに基づいて更新登録手段によりデータベース上の暗証情報を書換え、その後、この変更後の暗証情報をＩＤカードに記録するため、データの変更等の管理をデータベース上で一元管理することが可能となり、ＩＤカードの更新申請手続とＩＤカードの作成とを異なるＩＤカード交付機関で簡単に行うことが可能となる。
【００２１】
請求項８に記載の発明によれば、暗証情報入力手段が撮影装置に備えられることで、更新申請者の氏名や住所等の個人を特定する事項と、ＰＩＮのようにＩＤカード使用者と所有者との同一性を担保することを目的とする事項とが、異なる空間で作業されるため、担当係員の入力項目をカテゴリ−別に絞り込むことが可能となる。このため、各事項の入力ミスを軽減できるともに、入力ミスを発見しやすくなる。
更に、一般に第三者等が更新申請者と隔てられる撮影空間での入力作業となるため、ＰＩＮの秘匿性を担保することができる。
【発明を実施するための最良の形態】
【００２２】
〔第１の実施形態〕
次に、図を用いて、本発明を適用したＩＤカード自動更新発行システムに付いて説明する。まず、本実施の形態の構成について説明する。
【００２３】
図１は、ＩＤカード自動更新発行システムの全体構成を示したブロック図である。ＩＤカード自動更新発行システム１は、更新登録端末２、撮影装置３、ホストコンピュータ４、ＩＤカード発行装置５及びデータベース７からなり、各装置は、通信ネットワーク６を介して相互に接続されている。なお、通信ネットワーク６は専用線により構築された通信ネットワークであり、ＬＡＮ（Local  Area  Network）、ＷＡＮ（Wide  Area  Network）等の回線形態を適用することが可能である。また、一つのホストコンピュータ４に接続される更新登録端末２、撮影装置３及びＩＤカード発行装置５の数は、複数設置可能でありそれぞれ一台に限定されるものではない。以下の説明では、各装置を一台ずつ接続した場合について述べる。
【００２４】
また、本実施の形態におけるＩＤカード自動更新発行システムは、非接触型ＩＣカードを発行するものである。非接触型ＩＣカードとしては、密着型（ＩＳＯ／ＩＥＣ１０５３６）、近接型（ＩＳＯ／ＩＥＣ１４４４３）、近接型（ＩＳＯ／ＩＥＣ１５６９３）及びマイクロ波型等が適用できる。更には、接触型ＩＣカード（非接触型ＩＣカードとの併用を含む。）や磁気型カード等にも適用が可能である。本実施の形態は、近接型の非接触型ＩＣカードを適用するものである。
【００２５】
ＩＣメモリには、カード所有者（更新申請者）のＩＤ番号、氏名、現住所、本籍地、有効期限、年齢、性別、顔画像及び暗証情報（番号）等の種々の個人情報が記録されている。また、ＩＤカードの表面は、上記個人情報と顔画像が印字されるものである。
【００２６】
以下に、図１に示す各装置の機能について説明する。
ＩＤカード発行装置５は、ＩＤカードの表面に個人情報を印字するための印字部と、ＩＤカードのＩＣメモリに更新申請者の個人情報を記録するためのライタを備えるものであり、ホストコンピュータ４から取得された更新申請者の個人情報に基づいてＩＤカードを発行するものである。
【００２７】
ホストコンピュータ４は、予め記憶されたプログラムに従い、ＩＤカード自動更新発行システム１を統括的に制御するコンピュータである。また、上記更新申請者の個人情報等のデータを記録したデータベース７を備える。なお、データベース７は、ホストコンピュータ４に内臓するメモリあるいは通信ネットワークを介して外部のサーバに格納することも当然に可能である。
【００２８】
更新登録端末２は、例えば、ＰＣ（Personal  Computer）等により構成されるものである。都道府県又は市区町村等のＩＤカード発行機関等に設置されるものであり、更新申請者により必要事項が記入された更新申請書の内容に基づいて、受付係員が更新申請者の個人情報を入力するようになっている。その後、更新登録端末２は、入力された個人情報をホストコンピュータ４に送信し、ＩＤカードの更新登録を要請する。
【００２９】
撮影装置３は、更新申請者の主に顔面部を撮影するものである。また、撮影を行った画像を電子画像データとしてホストコンピュータ４に送信するものである。
さらに、撮影装置３は、暗証情報の入力が行われる暗証情報入力装置１５が備えられる。以下に、撮影装置３について詳細に説明する。
【００３０】
図２は、撮影装置３の主要部構成を示すものである。撮影装置３は、ＣＰＵ（Central  Processing  Unit）１１、入力部１２、表示部１３、通信部１４、ＲＯＭ１６、ＲＡＭ１７、暗証情報入力装置１５及びカメラ１８により構成される。
【００３１】
ＣＰＵ１１は、ＲＯＭ１６に記憶された各種制御プログラムを読み出してＲＡＭ１７に展開し、これら制御プログラムに従って撮影装置３の各部を制御する。
【００３２】
暗証情報入力装置１５及び入力部１２は、文字入力キー、テンキー、カーソルキー、あるいはマウス等のポインティングデバイスからなり、暗証情報や撮影装置３の制御信号を入力するものである。なお、両者をそれぞれ一つの装置で兼用する構成としてもよい。また、入力部１２の操作によりカメラ１８のシャッタが切れるようになっている。また、後述する表示部１３にタッチパネルを採用して暗証情報入力装置１５、入力部１２及び表示部１３を一体とする構成としてもよい。
なお、ここで、暗証情報（ＰＩＮ）とは、一般に暗証番号といわれるものを意味する。更新登録者が任意に選んだ数字、アルファベット等の文字、各種記号及びこれらの組合せからなり、任意の桁数（通常４〜８桁）から構成されるものをいう。また、これら文字等に限らず、個人を特定できるもので有れば他の要素を適用することも可能である。例えば、指紋、網膜パターンあるいは静脈認証等を電子データ化して暗証情報としてもよい。
【００３３】
表示部１３は、ＬＣＤ（Liquid  Crystal  Display）やＣＲＴ（Cathode  Ray  Tube）等の表示ディスプレイを備え、ＣＰＵ１１から入力される表示信号に従って所要の表示処理を行うものである。
【００３４】
通信部１４は、ＬＡＮアダプタ等によって構成され、通信ネットワーク６を介してＩＤカード発行装置５やホストコンピュータ４等の外部装置と通信を行う為の制御を行うものである。
【００３５】
カメラ１８は、主に更新申請者の顔面部を中心とした胸像を撮影するものであり、ここで撮影された画像が、後にＩＤカードに印刷されることとなる。
【００３６】
なお、ＲＯＭ１６はＣＰＵ１１で実行される各種のプログラム及びこれらのプログラムで使用される各種のデータを格納している。又、ＲＡＭ１７は、ＣＰＵ１１により実行される各種制御プログラムや各種アプリケーションプログラムを展開するワークエリアとして機能するものであり、同時に、これらプログラムに基づく各種の処理結果を一時的に記憶するものである。
【００３７】
次に、図３示すフローチャートを用いて、第１の実施形態におけるＩＤカード自動更新発行システムの動作について説明する。
更新申請者は、専用の更新申請書にＩＤ番号、氏名、住所等の個人情報を記載し、受付係員に提出する。このとき、氏名、住所及び識別番号等の個人情報に変更がない場合には、更新登録端末２からデータの入力をせずに、撮影装置３で胸像の撮影を行う。
【００３８】
更新申請者は、先ず、撮影装置３の暗証情報入力装置１５を介して、ＰＩＮデータ及び又はＩＤ番号を入力する。このとき、ＰＩＮの変更を行うときは、新たなＰＩＮ及びＩＤ番号の順で入力し、ＰＩＮの変更を行わないときはＩＤ番号のみを入力する（ステップＳ１）。後述するが、このようにＰＩＮの入力が先にあるか否かでホストコンピュータ４は、ＰＩＮの変更有無を判断することとなる。
【００３９】
次に、ＣＰＵ１１は、ホストコンピュータ４にデータファイルの呼び出し要請信号を出力し（ステップＳ２）、入力されたＰＩＮのデータ及び／又はＩＤ番号データをホストコンピュータ４に送信する（ステップＳ３）。ホストコンピュータ４は、受信したデータ中にＰＩＮデータがあるかを判断し（ステップＳ４）、有る場合に（ステップＳ４：ＹＥＳ）入力された新たなＰＩＮのデータへの書換えを行うとともに、氏名、住所及び識別番号等の個人情報は、従前のデータをもとに新たな個人情報として書換えを行う。さらに、有効期限の年月日等の書換えを行う（ステップＳ５）。
【００４０】
一方、ステップＳ４において、受信データ中にＰＩＮデータが無い場合には（ステップＳ４：ＮＯ）、ＰＩＮの変更等が無いものと判断し、更新申請前の従来からのＰＩＮあるいはデフォルトのＰＩＮのデータを更新ＰＩＮとして書換えを行うとともに、氏名、住所及び識別番号等の個人情報についても、従前のデータをもとに新たな個人情報として書換えを行う。さらに、有効期限の年月日等の書換えを行う（ステップＳ６）。その後、このようにして更新データに書換えが行われた更新データを撮像装置３に送信する（ステップＳ７）。
【００４１】
撮像装置３は、更新データを受信した後、更新申請者の写真撮影を行い（ステップＳ８）、ホストコンピュータ４に更新後のデータ及び更新申請者の撮影を行った電子画像データを送信する（ステップＳ９）。ホストコンピュータ４は、データファイルに電子画像データの書換えを行う（ステップＳ１０）。
【００４２】
その後、ＩＤカード発行装置５に、更新データ、電子画像データ及びＰＩＮ若しくはデフォルトＰＩＮデータを送信し（ステップＳ１１）、非接触型ＩＣカードのメモリの書換えや券面の印刷を行い、新規の非接触型ＩＣカードを発行する（ステップＳ１２）。
【００４３】
なお、氏名、住所及び識別番号等の個人情報等に変更がある場合は、図４に示すように、従来通りの更新手続が行われる。
更新申請者が、変更された個人情報を記載した更新申請書を受付係員に提出する。このとき、ＰＩＮに変更がある場合は、ＰＩＮ番号の記入欄に新たなＰＩＮを記入し、変更が無い場合には空欄とする。更新申請用紙を受け取った受付係員は、更新登録端末２を介して、更新申請書の個人情報等のデータが入力される（ステップＳ２０）。ＰＩＮに変更がある場合は、新たなＰＩＮデータも入力される。更新登録端末２は、個人情報の変更入力信号とともに変更後の個人情報データをホストコンピュータ４に送信する（ステップＳ２１）。
【００４４】
ホストコンピュータ４は、送信データ中にＰＩＮデータが含まれるかを判別し（ステップＳ２２）、含まれる場合には（ステップＳ２２：ＹＥＳ）、データベース７からデータファイルを呼び出し（ステップＳ２３）、データファイル内の更新登録申請前の個人情報データ及び変更後のＰＩＮデータを更新後のデータとして書換えを行う（ステップＳ２４）。
【００４５】
一方、ステップＳ２２において、送信データ中にＰＩＮデータが含まれていない場合（ステップＳ２２：ＮＯ）は、データベースからデータファイルを呼び出した後に（ステップＳ２５）。データファイル内の更新登録申請前の個人情報データ及び申請前のＰＩＮデータ若しくはデフォルトのＰＩＮデータを更新後のデータとして書換えを行う（ステップＳ２６）。
【００４６】
更新申請者は、更新登録申請書を提出した後、写真の撮影を行う手順となる。撮像装置３では、入力部１２を介して、更新申請者のＩＤ番号が入力される（ステップＳ２７）。撮像装置３のＣＰＵ１１は、ホストコンピュータ４に更新申請者の個人情報及びＰＩＮデータ等の呼び出し要請信号を出力する（ステップＳ２８）。この要請信号を受信したホストコンピュータ４は、撮像装置３に更新申請者の個人情報及びＰＩＮデータ等を送信する（ステップＳ２９）。なお、ここで送信されるのは、上記ステップＳ２４又はＳ２６で書換えが行われた更新後のデータである。
【００４７】
更新申請者の個人情報及びＰＩＮデータ等を受信した撮像装置３では、更新申請者の撮影が行われ（ステップＳ３０）、更新データ及び撮影により取得した電子画像データをホストコンピュータに送信する（ステップＳ３１）。
【００４８】
その後、ホストコンピュ−タ４は、更新データ及び電子画像データをＩＤカード発行装置５に送信する（ステップＳ３２）。ＩＤカード発行装置５は、非接触型ＩＣカードのメモリの書換えや券面の印刷を行い、新規の非接触型ＩＣカードを発行する（ステップＳ３３）。
【００４９】
以上のように、第１の実施形態におけるＩＤカード自動更新発行システムによれば、撮像装置３からＰＩＮの変更の有無をホストコンピュータ４で判別することができるため、非接触型ＩＣカード等のＩＣ内蔵型のＩＤカードにＰＩＮの設定がなされる場合でも、従来からのＩＤカード自動更新発行システムを応用して迅速且つ簡便にＩＤカードの更新申請を行うことが可能となる。
【００５０】
また、ＰＩＮの設定を行わない（デフォルト状態のまま）、あるいはＰＩＮの変更を行わない場合であっても、ＰＩＮについては、デフォルト情報や更新申請前のＰＩＮ番号が自動的に登録されるため、ＰＩＮの設定の自由度に対応できるＩＤカード自動更新発行システムを実現でき、また、ＰＩＮの変更時期の自由度に対応しつつ迅速且つ簡便にＩＤカードの更新申請手続を行うことが可能となる。
【００５１】
更に、ステップＳ１で、変更される新しいＰＩＮを撮影装置３の担当係員が入力する手順となっているが、図５に示すように、暗証情報入力装置１５を撮影装置３の更新申請者と対面する部分に設けて、更新申請者自身にＰＩＮの入力を行わせる手順としてもよい。一般に、撮影時には、非撮影者の背後に他人が回り込むことがなく、且つ、更新申請者以外は担当係員をのぞき撮影空間内に第三者が進入することが少ない。このような条件に加えてＰＩＮの秘匿性を鑑みると、更新申請者自身が入力を行うのが好適である。これにより、担当係員ですらＰＩＮを認知することができず秘匿性を担保できるとともに、更新申請者自身の入力作業によりＰＩＮの入力ミスも軽減することができる。
【００５２】
〔第２の実施形態〕
本発明を実施するための第２の実施形態は、第１の実施形態に比してＩＤカードの更新申請時にＰＩＮの変更が有る場合において撮影装置３及び暗証情報入力装置１５で行われる処理手順が異なるものである。以下、第２の実施形態について、図を用いて説明する。なお、第２の実施形態におけるＩＤカード自動更新発行システムは、構成において第１の実施形態におけるＩＤカード自動更新発行システムと共通する点が多い。したがって、同一の機能を有するものは同一の符号を用い説明を省略する。
【００５３】
図６は撮影装置２０の構成を示したブロック図である。撮影装置２０の表示部２１は、ＰＩＮの変更がある場合に、暗証情報入力装置１５の入力操作に連動して、各種の案内を表示するものである。図７は、その一例を示した案内画面を示したものである。撮影装置２０の担当係員が、カメラ１８で更新申請者の胸像を撮影する前に、入力部１２からＩＤ番号を入力すると、申請者用ディスプレイに「暗証番号の変更又は設定を行いますか？」の案内と同時に「はい」と「いいえ」の選択メニューが表示される。このときに、担当係員が所望するメニューを選択することができ、仮に「はい」を選択すると、図８に示すように、「新しい暗証番号を入力してください。」の案内が表示され、担当係員にＰＩＮの入力を示唆する。その後、担当係員がＰＩＮの入力を行うようになっている。
【００５４】
また、ＰＩＮを変更しない又は設定しない場合、即ち、図７に示す選択メニューで「いいえ」を選択する場合は、後述する、ホストコンピュータ４により更新登録前のＰＩＮ又はデフォルトＰＩＮが設定されることとなる。
【００５５】
以下に、第２の実施形態におけるＩＤカード自動更新発行システムの動作について図９に示すフロー図を用いて説明する。
【００５６】
第１の実施形態と同様に、受付係員に提出された更新登録申請書に氏名、住所及び識別番号等の個人情報に変更が場合は、更新登録申請者は、写真の撮影を行う。先ず、入力部１２を介して、ＣＰＵ１１に更新申請者のＩＤ番号データを入力する（ステップＳ４１）。ＣＰＵ１１は、表示部２１に「暗証番号の変更又は設定を行いますか？」の案内表示を行う（ステップＳ４２）。ここで、表示部２１には、「はい」、「いいえ」の選択アイコンが表示されており（図７参照）、「はい」を選択すると、「新しい暗証番号を入力してください。」の案内表示（図８参照）が表示部２１に表示され、（ステップＳ４３：ＹＥＳ）、担当係員により、暗証情報入力装置１５を介して、新たなＰＩＮを入力する（ステップＳ４４）。また、ステップＳ４２で「いいえ」を選択し、ＰＩＮの変更がないものとした場合（ステップＳ４３：ＮＯ）は、ＰＩＮは入力されない。
その後、ホストコンピュータ４に更新申請者のデータファイルの呼び出し要請信号を出力し（ステップＳ４５）、その後、ＩＤ番号データ及び／又は新たなＰＩＮデータを送信する（ステップＳ４６）。
【００５７】
この要請信号を受けたホストコンピュータ４は、送信データにＰＩＮデータが含まれるかが判別される（ステップＳ４７）。ＰＩＮデータが含まれるとき（ステップＳ４７：ＹＥＳ）、新たなＰＩＮデータを書き込むとともに、更新登録申請前の個人情報を更新データとして書き換える（ステップＳ４８）。また、ステップＳ４７でＰＩＮデータが含まれていないときは、更新登録申請前のＰＩＮデータあるいはデフォルトＰＩＮデータとともに、更新登録申請前の個人情報を更新データとして書換えを行う（ステップＳ４９）。その後、更新後の個人情報及び新たなＰＩＮデータ若しくは従前のＰＩＮデータ若しくはデフォルトのＰＩＮデータを撮像装置２０に送信する（ステップＳ５０）。
【００５８】
その後は、第１の実施形態と同様に、更新申請者の撮影を行い（ステップＳ８）、ホストコンピュータ４に更新後のデータ及び撮影した写真の電子画像データを送信し（ステップＳ９）、ホストコンピュータ４により電子画像データの書換えが行われ（ステップＳ１０）、ＩＤカード発行装置５に、変更後の個人情報及びＰＩＮデータが送信され（ステップＳ１１）、非接触型ＩＣカードのＩＣメモリの書換え及び券面の印画がなされ、新規の非接触型ＩＣカードを作製する（ステップＳ５５）。
【００５９】
なお、更新申請者の氏名や住所等の個人情報に変更がある場合は、第１の実施形態におけるステップＳ２０〜ステップＳ３３（図４参照）と同様に、更新登録端末２を介して、更新情報が入力され、データベース７の情報が書き換えられることとなる。
【００６０】
以上のように、第２の実施形態におけるＩＤカード更新発行システムによれば、ＰＩＮの入力時に表示部２１の案内画面に基づいて簡易且つ確実にＰＩＮの変更等の操作を行うことが可能となる。このため、デジタル弱者等でも簡単にシステムの運転を行うことが可能となり、迅速且つ確実な更新申請手続きをおこなうことができる。
【００６１】
更に、第１の実施形態と同様に、ステップＳ４３において、変更される新しいＰＩＮを撮影装置２０の担当係員が入力する手順となっているが、図１０に示すように、暗証情報入力装置１５を撮影装置３の更新申請者と対面する部分に設け、更に、ステップＳ４２における「ＰＩＮ番号の変更はありますか？」の案内表示及び「はい」、「いいえ」の選択コマンドを表示する申請者用モニタを設け、更新申請者自身にＰＩＮの入力を行わせる手順としてもよい。
【００６２】
〔第３の実施形態〕
本発明の実施するため第３の実施形態は、データベース７に記録されたＰＩＮデータや個人情報データの書換えと撮影装置６０により取得された電子画像データの書換えとを、同時期に行う構成となっている。以下に、第３の実施形態におけるＩＤカードの自動更新発行システムについて図を用いて説明するが、同一機能を有するものは同一記号を用いて説明を省力する。
【００６３】
図１１は、撮像装置６０の機能的構成を示したブロック図である。撮影装置６０は、入力部６１から、更新登録申請者のＩＤ番号やＰＩＮ番号の入力及びカメラ１７のシャッタの操作を行うものであるとともに、これらのデータを一括してホストコンピュータ４に送信する送信信号を出力するものである。より具体には、ＩＤ番号等のデータは、入力後一時的にＲＡＭ１７に記憶され、カメラ１７で取得される更新登録申請者の電子画像データとともにホストコンピュータ４に送信されるようになっている。ホストコンピュータ４は、これた送信された一回のデータ通信のみでデータベース７のデータファイルを書き換えることを可能とする。以下に、その動作について説明する。
【００６４】
図１２は、第３の実施形態におけるＩＤカード自動更新発行システムの動作を示したフロー図である。第１の実施形態と同様に、受付係員に提出された更新登録申請書に氏名、住所及び識別番号等の個人情報に変更が場合は、更新登録申請者は、写真の撮影を行う。先ず、入力部１２を介して、ＣＰＵ１１に更新申請者のＩＤ番号データを入力するが、このときＰＩＮの変更あるいは新規に設定する場合は、続けて新たなＰＩＮを入力する（ステップＳ６１）。
その後、更新申請者の撮影を行うときに、入力部１２の操作によりカメラ１８のシャッタを切ると（ステップＳ６２）、取得された電子画像データ、ＩＤ番号データ及び／又はＰＩＮ番号データの送信を行う（ステップＳ６３）。
【００６５】
ホストコンピュ−タ４では、撮影装置６０から送信されるデータ中にＰＩＮデータが含まれるかが判別される（ステップＳ６４）。ここで、ＰＩＮデータがある場合には（ステップＳ６４：ＹＥＳ）、データベース７からデータファイルを呼び出し、新たなＰＩＮデータ及び電子画像データを書き込むとともに、更新登録前の個人情報データ、有効期限等を読み込み、新たな個人情報等として書換えが行われる（ステップＳ６５）。一方、ステップＳ６４でＰＩＮデータが含まれない場合（ステップＳ６４：ＮＯ）は、電子画像データを書き込むとともに、更新登録申請前の個人情報データ、有効期限及びＰＩＮあるいはデフォルトのＰＩＮデータをデータベース７から読込み、新たな個人情報として書換えを行う（ステップＳ６６）。
【００６６】
その後、ＩＤカード発行装置５に電子画像データ、更新後の個人情報データ及び新たなＰＩＮデータ若しくは更新登録前のＰＩＮあるいはデフォルトのＰＩＮデータを送信する（ステップＳ６７）。これらデータをもとに、ＩＤカード発行装置５では、非接触型ＩＣカードのＩＣメモリの書換え及び券面の印画を行い、新規の非接触型ＩＣカードを作製する（ステップＳ６８）。
【００６７】
なお、更新申請者の氏名や住所等の個人情報に変更がある場合は、第１の実施形態におけるステップＳ２０〜ステップＳ３３（図４参照）と同様に、更新登録端末２を介して、更新情報が入力され、データベース７の情報が書き換えられることとなる。
【００６８】
以上のように、第３の実施形態によれば、撮影時に、ＰＩＮの入力の有無を行うことでＰＩＮを含めた自動更新が簡便に行うことが可能となる。更には、電子画像データ、ＩＤ番号データ及びＰＩＮデータを同時にホストコンピュータ４に送信することで、各機器間でのデータ通信の簡単化を可能とする。
【００６９】
また、上記ステップＳ６１において、第１及び第２の実施形態と同様に、ＰＩＮの入力がある場合には、更新申請者自身によりＰＩＮの入力を行うことにすることも可能である（図５又は図１０参照）。これにより、ＰＩＮの秘匿性をより担保することが可能となる。
【００７０】
以上、本発明を実施するための最良の形態について第１、第２及び第３の実施形態に分けて説明したが、本発明はこれら種々の例に限定されるものではない。
【図面の簡単な説明】
【００７１】
【図１】第１及び第２の実施形態におけるＩＤカード自動更新システムの全体構成を示したブロック図である。
【図２】第１の実施形態における撮像装置の機能的構成を示したブロック図である。
【図３】第１の実施形態におけるＩＤカード自動更新発行システムの動作を示したフロー図である。
【図４】第１の実施形態におけるＩＤカード自動更新発行システムの動作を示したフロー図である。
【図５】第１の実施形態における撮影装置の他の例を示した模式図である。
【図６】第２の実施形態における撮影装置の機能的構成を示したブロック図である。
【図７】第２の実施形態における表示部の案内メニュー画面を示した模式図である。
【図８】第２の実施形態における表示部の入力案内画面を示した模式図である。
【図９】第２の実施形態におけるＩＤカード自動更新発行システムの動作を示したフロー図である。
【図１０】第２の実施形態におけるＩＤカード自動更新発行システムの他の例を示した模式図である。
【図１１】第３の実施形態における撮影装置の機能的構成を示したブロック図である。
【図１２】第３の実施形態におけるＩＤカード自動更新発行システムの動作を示したフロー図である。
【符号の説明】
【００７２】
１  ＩＤカード自動更新発行システム
２  更新登録端末
３  撮影装置
４  ホストコンピュータ
５  ＩＤカード発行装置
６  通信ネットワーク
７  データベース
１１  ＣＰＵ
１２  入力部
１３  表示部
１４  通信部
１５  暗証情報入力装置
１６  ＲＯＭ
１７  ＲＡＭ
１８  カメラ
２０  撮影装置
２１  表示部
２２  申請者用モニタ
６０  撮影装置
６１  入力部
【図１】
2006201864.tif 000003
【図２】
2006201864.tif 000004
【図３】
2006201864.tif 000005
【図４】
2006201864.tif 000006
【図５】
2006201864.tif 000007
【図６】
2006201864.tif 000008
【図７】
2006201864.tif 000009
【図８】
2006201864.tif 000010
【図９】
2006201864.tif 000011
【図１０】
2006201864.tif 000012
【図１１】
2006201864.tif 000013
【図１２】
2006201864.tif 000014